(57)【特許請求の範囲】
【請求項１】
硬貨落下通路において所定の硬貨を硬貨保持板により支持した状態において、シリンダ錠のキー操作によりロータを施錠位置へ回動し得るようにした硬貨制御式錠装置において、
前記ロータの解錠位置への回動により前記硬貨保持板を硬貨不保持位置へ付勢する付勢バネの弾力に抗して硬貨保持位置へ押圧し、該押圧を前記ロータの施錠位置への回動により解除する駆動部を設け、
前記施錠位置におけるキーの挿入により摺動する受動子と駆動用バネを介して連動する駆動部材を設け、
前記キーの挿入状態で前記駆動部材が前記硬貨保持板を前記付勢バネの弾力に抗して前記硬貨保持位置に押圧し、該押圧を前記施錠位置におけるキーの抜き取り時に解除することを特徴とする硬貨制御式錠装置における硬貨保持機構。
【発明の詳細な説明】
【０００１】
【発明の属する技術分野】
本発明は、コインロッカなどの硬貨制御式錠装置の内部に設けられる硬貨保持、開放機構の改良に関するものである。
【０００２】
【従来の技術】
硬貨制御式錠装置は、正面に設けられた硬貨投入口に所定金額の硬貨を投入すると扉が施錠（或いは解錠）する装置で、コインロッカの他に自動販売機やレジャーケイシングなどがある。
図６は、コインロッカの従来例を示す正面図であり、ケース１の前面に、管理者のみが操作する管理用錠２の左側に硬貨投入口３が設けられ、下方に、利用客が操作するシリンダ錠４と硬貨返却口５が設けられる。
【０００３】
コインロッカに関する技術には、特公昭６０−５７１１８号公報に記載の技術などがあり、同技術によると、コインロッカ内部には、硬貨投入口３に投入された硬貨が所定の硬貨であることを判別する検銭機構Ａと、所定枚数の硬貨が硬貨通路内に保持されたときにシリンダ錠４のキー操作を可能にする回動阻止レバー６と、硬貨通路内に投入された硬貨を一時的に係止して保持し、シリンダ錠４のキー操作により保持した硬貨を下方に釈放する硬貨保持、開放機構Ｂが設けられる（図７、図８参照）。
【０００４】
図９は、硬貨保持、開放機構Ｂとその関連部品を示す斜視図であり、硬貨保持、開放機構Ｂのシリンダ錠４は、扉に固着される筒状のケース７にロータ８が回動可能に挿入され、ロータ８は前面に鍵孔９が開口し（図６参照）、後端部には鍵孔９に連通する孔１０が設けられ、外周面に角軸部１１が設けられる。
角軸部１１には、施錠杆駆動用回動反転板１２の角孔１３が装着され、施錠杆駆動用回動反転板１２の上端に開口する係止溝１４には、ケース１に中間部を枢着された駆動レバー１５の先端に設けられた駆動ピン１６の一端が係入する。
【０００５】
ケース１の側面から出没可能に設けられた施錠杆１７には、駆動ピン１６の他端が係入する孔１８が設けられる。
駆動ピン１６にはスプリング１９の一端が係止され、スプリング１９の他端はケース１の内部に係止されているので、駆動ピン１６は、施錠杆１７を突出位置或いは没入位置に付勢する（図９参照）。
従って、シリンダ錠４のキー操作によりロータ８ないし施錠杆駆動用回動反転板１２を回動すると、駆動ピン１６が施錠杆１７を突出或いは没入させ、扉を施錠或いは解錠するようになっている。
【０００６】
ロータ８の孔１０には摺動ピン２０の左側が挿入され、摺動ピン２０の右側端にスリット２１が設けられ、外周面からスリット２１を貫通する孔２２に支持ピン２３が挿入される。
スリット２１には回動部材２４の一端が挿入され、回動部材２４の一端部に設けられた孔２５に、支持ピン２３が挿入される（図９参照）。
【０００７】
回動部材２４の他端には突起状の押動部２６が設けられ、回動部材２４の中央部に孔２７が設けられる。
図１０に示すように、ケース１の内面に内壁２８が固着され、内壁２８とケース１の間には硬貨通路２９が形成される。
内壁２８に屈曲して立設された一対の起立片３０に貫通孔３１が設けられ、貫通孔３１に軸３２の両端部が挿入、固着され、軸３２の中央部は、回動部材２４の孔２７に挿入される。
従って、キーＫが挿入され、摺動ピン２０が矢印Ｐ方向に移動しているときには、回動部材２４が時計方向に回動して図１０の実線位置にある。
【０００８】
一対の起立片３０の右側に、内壁２８より一対の起立壁３３が屈曲して立設され、起立壁３３を貫通する孔３４に支軸３５の両端部が挿入、固着される（図１０参照）。
一対の起立壁３３の内側には、図９において硬貨保持板３６の右側に設けられる一対の屈曲片３７が挿入され、屈曲片３７を貫通する孔３８と、屈曲片３７の内側に挿入されるスプリング３９に支軸３５が挿入される。
【０００９】
スプリング３９の一端は硬貨保持板３６に係止され、他端は内壁２８に係止される。
硬貨保持板３６は、スプリング３９により支軸３５を支点として内壁２８から遠ざかる方向に付勢されているが、回動部材２４が図１０の実線位置に回動したときには、押動部２６に押されて内壁２８に接近する方向に回動する。
【００１０】
硬貨保持板３６には複数個（図９では６個）のねじ孔４０が設けられ、ねじ孔４０に螺合する雄ねじ部を有する係止ピン４１が、硬貨枚数に応じたねじ孔４０に螺合される。
係止ピン４１は、硬貨保持板３６が内壁２８に接近する方向に回動したときに、硬貨通路２９に突出し、硬貨通路２９内を落下供給される硬貨の落下を係止して保持するようになっている（図１０参照）。
【００１１】
施錠杆駆動用回動反転板１２に対する回動阻止レバー６は、連結壁４３の両側に側壁４４と硬貨感知片４５が屈曲形成され、側壁４４には回動阻止腕４６と、投入口阻止部４７が形成される。
側壁４４と硬貨感知片４５を貫通する孔４８には支軸４９が挿入され、支軸４９の両端部は、内壁２８より起立する軸受部（図示しない）に挿入、固着され、支軸４９に巻回されるスプリング５０の一端が回動阻止レバー６に係止され、他端が内壁２８に係止される。
【００１２】
従って、回動阻止レバー６は、支軸４９を支点として回動可能であり、図８において反時計方向に付勢され、硬貨感知片４５が硬貨通路２９に突出すると共に、回動阻止腕４６が施錠杆駆動用回動反転板１２の回動による駆動ピン１６の矢印Ｑ方向への移動を阻止する位置に突出している。
従って、シリンダ錠４の鍵孔９に挿入されているキーを施錠方向に回動することはできない。
【００１３】
以上のように構成された硬貨保持、開放機構Ｂの作用のみを説明すると、シリンダ錠４は解錠状態にあり、キーＫは抜取不能である。
摺動ピン２０は、キーＫに押されて矢印Ｐ方向に突出しており、回動部材２４は図１０の実線位置にある。
従って、硬貨保持板３６は内壁２８に接近する方向に回動し、係止ピン４１が硬貨通路２９に突出している。
【００１４】
このような解錠状態において、硬貨投入口３に硬貨を投入すると、挿入された硬貨が検銭機構Ａによって正規の硬貨であることを確認された後に、硬貨通路２９に突出している硬貨保持板３６の係止ピン４１に係止される。
硬貨が所定枚数だけ投入されると、最上部の硬貨が硬貨感知片４５を硬貨通路２９から押し出し、回動阻止レバー６が、図８の矢印Ｑ方向の反対方向に回動するので、回動阻止腕４６が駆動ピン１６の移動を妨げない位置に後退し、シリンダ錠４の施錠操作が可能になる。
【００１５】
キーＫを施錠方向に回動すると、シリンダ錠４のロータ８と共に施錠杆駆動用回動反転板１２が回動し、施錠杆駆動用回動反転板１２の係止溝１４に係合する駆動ピン１６が施錠杆１７を突出させて、扉が施錠されると共に、キーが抜取可能になる。
キーＫを抜き取ると、硬貨保持板３６が内壁２８から遠ざかる方向に付勢されているので、回動部材２４が図１０の鎖線位置に回動すると共に、係止ピン４１が硬貨通路２９から退避し、硬貨が下方に落下する。
【００１６】
有料のコインロッカでは、落下した硬貨が内部の硬貨収納箱に収納され、無料のコインロッカでは、落下した硬貨が硬貨返却口５に戻される。
キーＫを挿入し解錠すると、コインロッカが初期の不使用状態に復帰する。
【００１７】
【発明が解決しようとする課題】
上記従来の技術にあっては、シリンダ錠４に対するキーＫの挿入により摺動ピン２０が移動し、摺動ピン２０の移動により回動部材２４が回動し、回動部材２４の回動によりその突起状の押動部２６が硬貨保持板３６を硬貨通路２９を形成する内壁２８側へ強制回動させてその状態を維持し、これによって硬貨通路２９内に突出している係止ピン４１により使用時に投入された硬貨を保持するものであるが、キーＫ、摺動ピン２０ないし回動部材２４の製造誤差やこれらの組付誤差により、係止ピン４１の硬貨通路２９内への突出量が不十分となって投入された規定硬貨を係止しないで下方へ落下させる不具合を生ずることとなる。
本発明は上記した点に着目して為されたものであり、キーの挿入に基づく駆動機構とは別の保持機構により硬貨保持板の硬貨保持位置を確保するようにしたものである。
【００１８】
【課題を解決するための手段】
上記の目的を達成するため、本発明においては、硬貨落下通路において所定の硬貨を硬貨保持板により支持した状態において、シリンダ錠のキー操作によりロータを施錠位置へ回動し得るようにした硬貨制御式錠装置において、
前記ロータの解錠位置への回動により前記硬貨保持板を硬貨不保持位置へ付勢する付勢バネの弾力に抗して硬貨保持位置へ押圧し、該押圧を前記ロータの施錠位置への回動により解除する駆動部を設け、
前記施錠位置におけるキーの挿入により摺動する受動子と駆動用バネを介して連動する駆動部材を設け、
前記キーの挿入状態で前記駆動部材が前記硬貨保持板を前記付勢バネの弾力に抗して前記硬貨保持位置に押圧し、該押圧を前記施錠位置におけるキーの抜き取り時に解除することを特徴とする。
【００１９】
【発明の実施の形態】
本発明の実施例について図面を参照して説明する。
図１において、ケース５１の前面に管理用錠５２と利用客が操作するシリンダ錠５３が設けられ、図示されていないが上部に硬貨投入口が設けられる。ケース５１内には内壁５４が設けられ、内壁５４の上方に検銭機構Ａ、下方に硬貨保持、開放機構Ｂが設けられる。
【００２０】
５５は施錠杆であり、水平方向に移動可能に設けられ、施錠時にケース５１から突出してコインロッカの扉（図示せず）を施錠する。シリンダ錠５３はケース５１に固着される筒状のケース５６にロータ５７が回動可能に挿入される。ロータ５７は前面に鍵孔５７ａが開口すると共に、後端部に鍵孔５７ａに連通する孔５７ｂが形成され、後端外周部に施錠杆駆動用回動反転板５８が固着される。なお、図示されていないが、施錠杆駆動用回動板５８と施錠杆５５との間には従来例に示される如くに動作連結部材としての駆動ピンが設けられる。
【００２１】
硬貨保持、開放機構Ｂにおいて、硬貨保持板５９の一側に一対の屈曲片５９ａが設けられ、内壁５４の一対の起立片５４ａとの間に貫通して設けられた支軸６０により、硬貨保持板５９は内壁５４に対して開閉するように回動可能に設けられ、支軸６０に捲装された付勢バネとしてのコイルバネ６１により内壁５４から開く方向に常時付勢される。硬貨保持板５９には施錠杆駆動用回動反転板５８方向に延びる被駆動部５９ｂが設けられ、施錠杆駆動用回動反転板５８の基端部には駆動部５８ａが被駆動部５９ｂに対向して設けられる。
【００２２】
硬貨保持板５９には複数個のねじ孔５９ｃが設けられ、ねじ孔５９ｃに螺合する雄ねじ部を有する係止ピン６２が硬貨枚数に対応したねじ孔５９ｃに螺着される。係止ピン６２は、硬貨保持板５９が内壁５４に接近する方向に回動して閉じた際に内壁５４の開口部５４ｂより内壁５４とケース５１との間で形成された硬貨落下通路Ｓに突出して図２の実線に示される硬貨保持位置となり、硬貨保持板５９が内壁５４から離れる方向に回動して開いた際に硬貨落下通路Ｓから外れて図２の仮想線に示される硬貨不保持位置となる。
【００２３】
シリンダ錠５３と硬貨保持板５９との間に回動駆動部材６３が設けられる。回動駆動部材６３の一端には接続孔６３ａ、他端には硬貨保持板５９に対向して突起状の駆動部６３ｂが設けられ、中央部の取付孔６３ｃを介して内壁５４の起立片５４ｃに支軸６４により回動可能に設けられる。回動駆動部材６３の一端は、ロータ５７の孔５７ｂに設けられた摺動ピン６５に接続孔６３ａを介して接続ピン６６により枢着される。
【００２４】
ロータ５７の孔５７ｂ内には一端を摺動ピン６５内に対して摺動可能に設けた受動子６６が設けられ、受動子６６の他端の頭部６６ａは鍵孔５７ａに対向し、頭部６６ａと摺動ピン６５との間には受動子６６に捲装した状態において駆動用バネとしての駆動用コイルバネ６７が設けられる。
【００２５】
検銭機構Ａと硬貨保持、開放機構Ｂの間において、内壁５４に施錠杆駆動用回動反転板５８に対する回動阻止レバー６８が枢着される。回動阻止レバー６８は、従来例で述べた如くに、硬貨感知片６８ａと回動阻止腕６８ｂを有していて同様に作用する。
【００２６】
上記構成において、コインロッカーの使用前においては硬貨制御式錠装置は、解錠状態にあり、反転スプリングにより解錠位置に確定されている施錠杆駆動用回動反転板５８の駆動部５８ａが硬貨保持板５９の被駆動部５９ｂを直接押圧し、硬貨保持板５９の硬貨保持位置を確保する。
また、解錠状態においては、シリンダ錠５３に挿入されているキーＫが受動子６６の頭部６６ａを押し、駆動用コイルバネ６７が圧縮されつつ摺動ピン６５を駆動するので駆動部材としての回動駆動部材６３が支軸６４により回動することで、キーの挿入により摺動する受動子６６と回動駆動部材６３が駆動用バネを介して連動し、回動駆動部材６３の駆動部６３ｂが硬貨保持板５９を硬貨保持位置へ押圧する。
【００２７】
硬貨落下通路Ｓに所定の硬貨を投入して硬貨保持板５９の係止ピン６２に保持されると、硬貨感知片６８ａを介して回動阻止レバー６８が回動して回動阻止腕６８ｂが施錠杆駆動用回動反転板５８の移動軌跡から外れるので、キーＫによりロータ５７ないし施錠杆駆動用回動反転板５８を施錠位置へ回動し、施錠杆５５をケース５１から突出させて施錠状態にする。
【００２８】
施錠杆駆動用回動反転板５８が施錠位置へ回動すると、駆動部５８ａが硬貨保持板５９の被駆動部５９ｂに対する押圧を解除するが、挿入状態のキーＫにより回動駆動部材６３の駆動部６３ｂが硬貨保持板５９の硬貨保持状態を維持しており、ロッカー使用者がキーを抜き取った際に、回動駆動部材６３の駆動部６３ｂによる硬貨保持板５９の硬貨保持位置へ押圧も解除され、硬貨保持板５９がコイルスプリング６１により硬貨不保持位置へ回動し、係止ピン６２が支持した硬貨を下方へ釈放する。
従って、施錠操作時に直ちに硬貨を釈放する場合には、摺動ピン６５ないし回動駆動部材６３を省くことができる。
【００２９】
【発明の効果】
請求項１の発明においては、解錠位置におけるロータの回動により駆動部が直接硬貨保持板を駆動するので、硬貨保持板の硬貨保持位置が確保され、施錠操作してキーを抜き取った際に硬貨保持板が保持した硬貨を釈放する。
特に、ロータの解錠位置への回動により硬貨保持板を硬貨不保持位置へ付勢する付勢バネの弾力に抗して硬貨保持位置へ押圧し、該押圧をロータの施錠位置への回動により解除する駆動部を設けるとともに、施錠位置におけるキーの挿入により摺動する受動子と駆動用バネを介して連動する駆動部材を設け、キーの挿入状態で駆動部材が硬貨保持板を付勢バネの弾力に抗して硬貨保持位置に押圧し、該押圧を施錠位置におけるキーの抜き取り時に解除するものであるから、キーの挿入状態で駆動部材が付勢バネの弾力に抗して硬貨保持位置に硬貨保持板を押圧し使用時に投入された硬貨を保持する場合の不具合は、キーの挿入に基づく駆動機構とは別の保持機構、すなわち、ロータの解錠位置への回動により硬貨保持板を硬貨不保持位置へ付勢する付勢バネの弾力に抗して硬貨保持位置へ押圧し、該押圧をロータの施錠位置への回動により解除する駆動部により硬貨保持板の硬貨保持位置を確保しつつ、施錠位置におけるキーの挿入により摺動する受動子と駆動用バネを介して連動する駆動部材を設け、駆動部材がキーの挿入状態で硬貨保持板を付勢バネの弾力に抗して硬貨保持位置に押圧し、該押圧を施錠位置におけるキーの抜き取り時に解除することによって解消される。
【図面の簡単な説明】
【図１】硬貨制御式錠装置の一部を破断した側面図である。
【図２】同上の底面図である。
【図３】施錠杆駆動用回動反転板と硬貨保持板の関係を示す斜視図である。
【図４】図１のＸ−Ｘ線断面図で解錠状態を示す。
【図５】図１のＸ−Ｘ線断面図で施錠状態を示す。
【図６】硬貨受入装置の正面図である。
【図７】従来の硬貨受入装置の側面図である。
【図８】図７の要部を示す背面図である。
【図９】従来の硬貨制御式錠装置の分解斜視図である。
【図１０】同上の底面図である。
【符号の説明】
５３    シリンダ錠
５７    ロータ
５８    施錠杆駆動用回動反転板
５８ａ  駆動部
５９    硬貨保持板
６１    バネ
６３    回動駆動部材
６５    摺動ピン
６６    受動子
６７    駆動用コイルバネ
【図１】
0004002756.tif 000002
【図２】
0004002756.tif 000003
【図３】
0004002756.tif 000004
【図４】
0004002756.tif 000005
【図５】
0004002756.tif 000006
【図６】
0004002756.tif 000007
【図７】
0004002756.tif 000008
【図８】
0004002756.tif 000009
【図９】
0004002756.tif 000010
【図１０】
0004002756.tif 000011